Podtech/llm-jp-corpus-v4-ja_patent huggingface dataset:
【手続補正書】
【提出日】平成18年8月24日(2006.8.24)
【手続補正１】
【補正対象書類名】特許請求の範囲
【補正対象項目名】全文
【補正方法】変更
【補正の内容】
【特許請求の範囲】
【請求項１】
スケートボードデッキの裏側に取り付けるのに適した主胴体部と；
中心の長手方向に延びる軸を有する、1対の間隔を空けた車輪を支持するための車軸と；
使用時はスケートボードの長手方向軸にほぼ垂直な、そしてスケートボードデッキに平行に延びる軸回りの移動のため、主胴体部に回転できるように取り付けられた、調整可能な支持体と；
前記車軸の枢動運動軸は、使用時はスケートボードデッキ平面のほぼ長手方向にそしてこれに垂直に延びる第二平面にあり、スケートボードの操縦を達成できるように、前記車軸を前記支持体に枢動可能に取り付け、そして第一平面で前記車軸の枢動運動を可能にする枢動手段と；
前記車軸が使用時はスケートボードデッキ平面にほぼ平行に延びる非枢動位置にある場合、
前記支持体の回転運動軸とほぼ同軸にある前記車軸の長手方向軸と；そして
前記第二平面の車軸の枢動運動軸を選択的に調整し、これにより車軸の枢動運動平面がスケートボードの操縦特性の変化を可能にするための前記支持体の回転位置を選択的に調整するための調整手段とを備える、スケートボード用トラックアセンブリー。
【請求項２】
前記枢動手段は車軸の相対する端部の中間である中央に位置する、請求項1に記載のトラックアセンブリー。
【請求項３】
前記調整手段は支持体の回転位置を調整し、そしてこれにより前記車軸の枢動運動平面を調整するための調整アームを備える、請求項1又は2に記載のトラックアセンブリー。
【請求項４】
調整アームは支持体に取り付けられるか又はこれと一体で形成される、請求項3に記載のトラックアセンブリー。
【請求項５】
調整アームは前記支持体の無制限の調整を提供する、請求項3又は4に記載のトラックアセンブリー。
【請求項６】
複数の固定位置の1つに調整アームを位置決めするための位置決め器を更に備える、請求項3又は4に記載のトラックアセンブリー。
【請求項７】
前記位置決め器は1つ以上のストッパ、アパチャー、マーカ及びインジケータを備える、請求項6に記載のトラックアセンブリー。
【請求項８】
位置決め器はアームを選択した固定位置に位置決めするために、ピンと協調するのに適した複数のアパチャーを備える、請求項7に記載のトラックアセンブリー。
【請求項９】
複数のアパチャーは主胴体部上の円弧に分散される、請求項8に記載のトラックアセンブリー。
【請求項１０】
前記ピンは調整アーム上に取り付けられた、ばね付きピンを備える、請求項9に記載のトラックアセンブリー。
【請求項１１】
車軸の枢動運動に対抗するのに適したバイアス手段を更に備える、先行請求項のいずれか一つに記載のトラックアセンブリー。
【請求項１２】
バイアス手段は、各ペア―が主胴体部の両側上に配置され、そして車軸と主胴体部を相互接続する、2対のコイルバネを備える、請求項11に記載のトラックアセンブリー。
【請求項１３】
トラックアセンブリーをスケートボードデッキに取り外し可能に取り付けるための取り付け部材を更に備える、先行請求項のいずれか1つに記載のトラックアセンブリー。
【請求項１４】
主胴体部と取り付け部材の間の取り外し可能に契合可能な少なくとも1つのスペーサーを更に備える、請求項13に記載のトラックアセンブリー。
【請求項１５】
前記枢動手段は前記車軸の対向する側に伸び、そして支持体に枢動可能に取り付けられた枢動部材を備える、先行請求項のいずれか1つに記載のトラックアセンブリー。
【請求項１６】
前記枢動部材はトラニオンを備える、請求項15に記載のトラックアセンブリー。
【請求項１７】
デッキと；
各トラックアセンブリーは、デッキの下側に取り付けられた主胴体部；
中央の長手方向に延びる軸を有する1対の空間を隔てた車輪を支持する車軸；
スケートボードの長手方向軸にほぼ垂直な、そしてスケートボードデッキに平行に延びる軸りの移動のため、主胴体部に回転できるように取り付けられた、調整可能な支持体と；
前記車軸の枢動運動軸は、デッキ平面のほぼ長手方向に、そしてこれに垂直に延びる第二平面にあり、スケートボードの操縦を達成できるように、前記車軸を前記支持体に枢動可能に取り付け、そして第一平面で車軸の枢動運動を可能にする枢動手段と；
前記車軸が使用時はスケートボードデッキ平面にほぼ平行に延びる非枢動位置にある場合、
前記支持体の回転運動軸とほぼ同軸にある前記車軸の長手方向軸と；そして
前記第二平面の車軸の枢動運動軸を調整し、これにより車軸の枢動運動平面がスケートボードの操縦特性の変化を可能にするため、前記支持体の回転位置を選択的に調整するための調整手段とを備えるスケートボード。
【請求項１８】
前記枢動手段は、前記車軸の対向する側上で延び、前記支持体と回転可能に契合する1対の枢動部材を含む、請求項17に記載のスケートボード。
【請求項１９】
第一取り付け部材はトラックアセンブリーをスケートボードに取り付けるため、トラックアセンブリーとの協調、及びトラックアセンブリーと少なくとも1つのスペーサーをスケートボードに取り付けるための少なくとも1つのスペーサーとの協調との内の少なくとも1つに適する結合部を有し、スケートボードデッキの下側に直接取り付けに適した第一取り付け部材を含む、請求項17又は18に記載のスケートボード。
【請求項２０】
トラックアセンブリー、スペーサーおよび取り付け部材は、各々が他とスライド可能に契合できる、請求項19に記載のスケートボード。
【請求項２１】
トラックアセンブリー、スペーサーおよび取り付け部材は、リブ及び補完的な溝カプラによりスライド式に契合可能な、請求項20に記載のスケートボード。
【請求項２２】
取り付け部材、トラックアセンブリー及び少なくとも1つのスペーサーのうちの2つを掛け金で留めるための解放可能なラッチを更に備える、請求項19から21のいずれか1つに記載のスケートボード。
【請求項２３】
少なくとも1つのトラックアセンブリーは、これにより車軸を伸ばしそして車輪を更に離すために車軸とネジで契合可能な少なくとも1つの延長部ネジを含む、請求項17から22のいずれか1つに記載のスケートボード。
【請求項２４】
各延長部品は各車軸の対向する端部と契合可能で、各トラックアセンブリーのための2つの延長部を含む、請求項23に記載のスケートボード。
【手続補正書】
【提出日】平成18年8月10日(2006.8.10)
【手続補正１】
【補正対象書類名】特許請求の範囲
【補正対象項目名】全文
【補正方法】変更
【補正の内容】
【特許請求の範囲】
【請求項１】
官能基化されていない多孔質ポリ芳香族樹脂を含有するタバコ・フィルターであって、
官能基化されていないポリ芳香族樹脂が、収着を通じて主流煙から少なくとも1種の気相成分の少なくとも一部を除去することが可能である、タバコ・フィルター。
【請求項２】
官能基化されていない多孔質ポリ芳香族樹脂が、無極性スチレン及びジビニルベンゼンの重合生成物である、請求項1記載のタバコ・フィルター。
【請求項３】
官能基化されていない多孔質ポリ芳香族樹脂が、約20Å〜約1000Åの平均細孔直径を有する、請求項1記載のタバコ・フィルター。
【請求項４】
官能基化されていない多孔質ポリ芳香族樹脂が、約50μm〜約3000μmのサイズであるビーズの形である、請求項1記載のタバコ・フィルター。
【請求項５】
官能基化されていない多孔質ポリ芳香族樹脂が、更に少なくとも1種の香味剤を含有する、請求項1記載のタバコ・フィルター。
【請求項６】
官能基化されていない多孔質ポリ芳香族樹脂が、チッピングペーパー、成形したペーパーインサート、プラグ、空隙又は自在流れスリーブからなる群より選択される1個又はそれよりも多いタバコ・フィルター部品に組込まれる、請求項１記載のタバコ・フィルター。
【請求項７】
官能基化されていない多孔質ポリ芳香族樹脂が、一重フィルター、二重フィルター、三重フィルター、空洞フィルター、埋込型フィルター、又は自在流れフィルター中に組込まれる、請求項1記載のタバコ・フィルター。
【請求項８】
請求項1記載のタバコ・フィルターを含むタバコ。
【請求項９】
タバコが、電気タバコである、請求項８記載のタバコ。
【請求項１０】
官能基化されていない多孔質ポリ芳香族樹脂をタバコ・フィルターに組込むことを含む、タバコ・フィルターを製造する方法であり、ここで、官能基化されていない多孔質ポリ芳香族樹脂は、収着を通じてタバコ主流煙中の少なくとも1種の成分の少なくとも一部を除去することが可能である、方法。
【手続補正書】
【提出日】平成18年4月13日(2006.4.13)
【手続補正１】
【補正対象書類名】特許請求の範囲
【補正対象項目名】全文
【補正方法】変更
【補正の内容】
【特許請求の範囲】
【請求項１】
個体の免疫状態についての情報を得るためのインビトロでの方法であって、
（ａ）１つ以上の核酸を選択する工程であって、ここで該核酸の発現レベルが、該個体における造血速度またはそれらの変異経路に沿った造血細胞の分布に関連し、そしてまた該個体の免疫状態に関連する工程；および
（ｂ）該核酸の発現レベルを検出する工程、
を包含する、方法。
【請求項２】
請求項１に記載の方法であって、前記１つ以上の核酸が、配列番号５２、配列番号６７、配列番号１９、配列番号３９、配列番号６３、配列番号２６、配列番号６８、配列番号１３、配列番号２００および配列番号３６より選択されるヌクレオチド配列を含む、方法。
【請求項３】
前記発現レベルが、前記１つ以上の核酸によって発現されるＲＮＡレベルを測定することによって決定される、請求項１に記載の方法。
【請求項４】
前記１つ以上の核酸によって発現されるＲＮＡレベルを検出する工程の前に、前記個体の血液からＲＮＡを単離する工程、をさらに包含する、請求項３に記載の方法。
【請求項５】
前記ＲＮＡレベルがＰＣＲによって検出される、請求項３に記載の方法。
【請求項６】
前記ＲＮＡレベルが、ハイブリダイゼーションによって検出される、請求項３に記載の方法。
【請求項７】
前記ＲＮＡレベルが、オリゴヌクレオチドへのハイブリダイゼーションによって検出される、請求項３に記載の方法。
【請求項８】
前記オリゴヌクレオチドが、ＤＮＡ、ＲＮＡ、ｃＤＮＡ、ＰＮＡ、ゲノムＤＮＡ、または合成オリゴヌクレオチドを含む、請求項７に記載の方法。
【請求項９】
前記免疫状態が、前記個体が器官移植片拒絶を経験しているかどうかを示す、請求項１に記載の方法。
【請求項１０】
請求項９に記載の方法であって、前記器官移植片が、心臓同種移植片、腎臓同種移植片、肝臓同種移植片、骨髄同種移植片、異種移植片、および人口器官移植片より選択される、方法。
【請求項１１】
前記免疫状態が、前記個体が心臓同種移植片拒絶を経験しているかどうかを示す、請求項１に記載の方法。
【手続補正書】
【提出日】平成18年6月8日(2006.6.8)
【手続補正１】
【補正対象書類名】特許請求の範囲
【補正対象項目名】請求項１７
【補正方法】変更
【補正の内容】
【請求項１７】
請求項１〜１６のいずれか一に記載の少なくとも1個の核酸を含む、カルシトニン遺伝子のメチル化状態に関連する疾患を分析するためのDNAおよび／またはPNAアレイ。
【手続補正２】
【補正対象書類名】特許請求の範囲
【補正対象項目名】請求項２０
【補正方法】変更
【補正の内容】
【請求項２０】
請求項５〜１１に記載の少なくとも1個のオリゴヌクレオチドのハイブリダイゼーションおよび、前記ハイブリダイゼーションしたオリゴヌクレオチド(群)の少なくとも1個のヌクレオチド塩基による伸長によって段階e)を実施することを特徴とする、請求項１８に記載の方法。
【手続補正３】
【補正対象書類名】特許請求の範囲
【補正対象項目名】請求項３５
【補正方法】変更
【補正の内容】
【請求項３５】
質量分析計でさらに良好な検出能を有するために、生成された断片が単一の正または負の正味荷電を持つことを特徴とする、請求項２８または２９に記載の方法。
【手続補正書】
【提出日】平成18年2月28日(2006.2.28)
【手続補正１】
【補正対象書類名】特許請求の範囲
【補正対象項目名】全文
【補正方法】変更
【補正の内容】
【特許請求の範囲】
【請求項１】
骨の置換及び増強において使用するための多孔質ケラチン材料。
【請求項２】
骨の固定及び不動化において使用するための緻密なケラチン材料。
【請求項３】
ケラチンがＳ−スルホン化されている請求項１又は２記載の材料。
【請求項４】
ケラチンが中間フィラメントタンパク質で豊富化されている請求項１〜３のいずれか一項記載の材料。
【請求項５】
固形ケラチン粉末の圧縮によって調製される請求項４記載のケラチン材料。
【請求項６】
ケラチンフィルムの圧縮によって調製される請求項３記載の緻密な材料。
【請求項７】
６０％までのカルシウム塩を含む請求項１〜６のいずれか一項記載の材料。
【請求項８】
圧縮の後に固形ケラチンの凍結乾燥が行われる請求項５〜７のいずれか一項記載の材料。
【請求項９】
骨の形態及び機能の保護、回復及び発達における医療用支持体又は足場の製造における緻密なケラチン材料の使用。
【請求項１０】
ケラチン材料がＳ−スルホン化されている請求項９記載の使用。
【請求項１１】
ケラチンが中間フィラメントタンパク質で豊富化されている請求項９又は１０記載の使用。
【請求項１２】
以下の工程を含む、Ｓ−スルホン化ケラチンの緻密な材料を整形外科製品へ成形する方法:
ａ）熱及び水の存在下でケラチンを圧縮する；
ｂ）材料を強化する；
ｃ）材料を洗浄して残留化学物質を除去する；そして
ｄ）材料を乾燥させる。
【請求項１３】
以下の工程を含む、Ｓ−スルホン化ケラチンの緻密な材料を整形外科製品へ成形する方法:
ａ）ケラチン含有出発材料を強化する；
ｂ）材料を洗浄して残留化学物質を除去する；
ｃ）材料を乾燥させる；そして
ｄ）熱及び水の存在下でケラチンを圧縮する。
【請求項１４】
以下の工程を含む、多孔質Ｓ−スルホン化豊富化ケラチン材料を成形する方法:
ａ）可溶性化合物の存在下でケラチンを圧縮する；
ｂ）可溶性化合物を除去し、材料を強化する；
ｃ）タンパク質材料を洗浄する；そして
ｄ）材料を凍結乾燥する。
【請求項１５】
可溶性化合物が塩化ナトリウムもしくは他の生体適合性の塩、又はグリセロールもしくは他の生体適合性の溶媒から選択される請求項１４記載の方法。
【請求項１６】
可溶性化合物の量及び性質が、孔寸法を選択して、ケラチン材料が移植されたときにケラチン材料のコロニー形成を容易にするために骨前駆細胞の浸潤を可能にするように制御される請求項１４又は１５記載の方法。
【請求項１７】
ケラチン出発材料へのヒドロキシアパタイトの添加をさらに含む請求項１２〜１６のいずれか一項記載の方法。
【請求項１８】
ケラチンが中間フィラメントタンパク質で豊富化されている請求項１２〜１７のいずれか一項記載の方法。
【請求項１９】
請求項１２〜１８のいずれか一項記載の方法によって調製されるケラチン材料。
【請求項２０】
骨の置換／増強治療において使用するための、中間フィラメントタンパク質で豊富化されている多孔質ケラチンの形態の生体適合性材料。
【請求項２１】
ケラチンがＳ−スルホン化されている請求項２０記載の生体適合性材料。
【請求項２２】
６０％までのカルシウム塩を含む請求項２０又は２１記載の生体適合性材料。
【請求項２３】
材料が固形ケラチン粉末の圧縮によって調製される請求項２０〜２２のいずれか一項記載の生体適合性材料。
【請求項２４】
圧縮の後に凍結乾燥が行われる請求項２３記載の生体適合性材料。
【請求項２５】
材料がケラチンの溶液から調製される請求項２０〜２４のいずれか一項記載の生体適合性材料。
【請求項２６】
ケラチンの溶液が凍結乾燥される請求項２５記載の生体適合性材料。
【請求項２７】
骨セグメントの固定及び不動化並びに内部固定による骨折の治療のための、生体適合性ケラチン材料から製造される整形外科医療用材料。
【請求項２８】
Ｓ−スルホン化ケラチン材料から製造される請求項２７記載の整形外科医療用材料。
【請求項２９】
ケラチン材料が中間フィラメントタンパク質で豊富化されている請求項２７又は２８記載の整形外科医療用材料。
【請求項３０】
固形ケラチン粉末の圧縮によって調製される請求項２７〜２９のいずれか一項記載の整形外科医療用材料。
【請求項３１】
ケラチンフィルムの圧縮によって調製される請求項２７〜２９のいずれか一項記載の整形外科医療用材料。
【請求項３２】
ケラチンの溶液から調製される請求項２７〜２９のいずれか一項記載の整形外科医療用材料。
【請求項３３】
６０％までのカルシウム塩を含む請求項２７〜２９のいずれか一項記載の整形外科医療用材料。
【請求項３４】
圧縮の後にケラチンが凍結乾燥される請求項３０〜３３のいずれか一項記載の整形外科医療用材料。
【請求項３５】
請求項１２〜１８のいずれか一項記載の方法によって作られる請求項２７〜３４のいずれか一項記載の整形外科医療用材料。
【請求項３６】
中間フィラメントタンパク質で豊富化されたＳ−スルホン化ケラチンを、骨折の治療における内部固定器具として使用するための堅固で緻密な生体適合性材料へ再成形する方法。
【請求項３７】
ケラチンが中間フィラメントタンパク質で豊富化されている請求項３５記載の方法。
【請求項３８】
湿分及び化学物質の存在下で生体適合性タンパク質を圧縮することを含む請求項３６記載の方法。
【請求項３９】
所望の形状を形成するために熱も使用される請求項３８記載の方法。
【請求項４０】
Ｓ−スルホン化ケラチンからスルホン酸基を除去して天然のケラチン中に本来存在するジスルフィドを再形成させるための還元剤の制御された使用も含む請求項３６〜３９のいずれか一項記載の方法。
【請求項４１】
請求項３６〜４０のいずれか一項記載の方法により製造される生体適合性ケラチン豊富化材料。
【請求項４２】
材料がプレート、ピン又はネジである請求項２７記載の整形外科医療用材料。
【手続補正書】
【提出日】平成18年5月9日(2006.5.9)
【手続補正１】
【補正対象書類名】特許請求の範囲
【補正対象項目名】全文
【補正方法】変更
【補正の内容】
【特許請求の範囲】
【請求項１】
軸方向に沿って離れた先端及び後端を有する細長い針台と、
前記細長い針台の先端から軸方向に延びる針と、
前記針を覆う前方の位置と前記針が露出される後方の位置との間を軸方向に往復動し、前記細長い針台に取り付けられる収容ケースとを具備し、
前記収容ケースは、始めは前記前方の位置にあり、前記後方の位置に移動可能であって、
前記細長い針台に対し当該後方の位置で保持され、軸周りに回転することで前記前方の位置に戻るように解放されることを特徴とする針アセンブリ。
【請求項２】
前記細長い針台において、向かい合った一対の第１及び第２側面で画定された長さ方向の部分が略矩形の断面であり、
また、前記収容ケースが向かい合った弾性部材を有しており、当該弾性部材は前記細長い針台の向かい合った一対の側面に係合するように構成されている、
請求項１に記載の針アセンブリ。
【請求項３】
前記収容ケースの後端が、二股の構造を有しており、向かい合った前記弾性部材を画定する、請求項２に記載の針アセンブリ。
【請求項４】
最初に前記弾性部材が前記細長い針台の向かい合った一対の第１側面と係合しており、その向かい合った一対の第１側面の後端が、前記向かい合った弾性部材を保持する第１傾斜となっている事で、使用時に前記針が露出される前記後方の位置において前記収容ケースが保持される、請求項２に記載の針アセンブリ。
【請求項５】
前記細長い針台が前記第１傾斜の後方の少なくとも一部に円形断面部を有しており、当該少なくとも一部の円形断面部は、前記収容ケースが後方の位置にある時に収容ケースが針台に対して軸周りに回転可能なように前記向かい合う弾性部材と係合し、回転後に、向かい合う弾性部材が、細長い収容ケースにおける向かい合った第２側面に対して位置合わせされる、請求項４に記載の針アセンブリ。
【請求項６】
前記向かい合った一対の第２側面の先端が、前記向かい合った弾性部材を保持する第２傾斜となっており、これにより前記収容ケースを前記針が保護される前方の位置に保持する、請求項５に記載の針アセンブリ。
【請求項７】
前記向かい合った弾性部材と前記針台の第２傾斜の前方に備えられた外側平面との係合によって前記収容ケースが前方の位置に保持される時、前記収容ケースが前記針台に対し回転できない、請求項６に記載の針アセンブリ。
【請求項８】
前記細長い針台は、軸方向に延びる第１及び第２側面を画定する断面を長さ方向に少なくとも一部有し、軸方向に延びる前記第１及び第２側面は、軸周りに所定角度をおいて配置されており、
前記収容ケースは、針が露出している間は前記細長い針台の軸方向に沿って延びた第１側面に係合し、前記針が覆われている間は前記細長い針台の軸方向に沿って延びた第２側面に係合する前記弾性部材を有する、
請求項１に記載の針アセンブリ。
【請求項９】
前記収容ケースが前記前方の位置に偏するよう、前記収容ケースと前記細長い針台との間に圧縮バネが配置されている、請求項１に記載の針アセンブリ。
【請求項１０】
前記針が、前記細長い針台の軸方向に貫通し延びて、また、前記針台の後端から延びている、請求項１に記載の針台。
【請求項１１】
軸方向に沿って離れた先端及び後端を有する細長い針台と、
前記細長い針台の先端から軸方向に延びる針と、
前記針を覆う前方の位置と前記針が露出される後方の位置との間を軸方向に往復動し、前記細長い針台に取り付けられる収容ケースとを具備し、
前記収容ケースは、使用前に前記前方の位置にあり、前記後方の位置へ移動可能であり、前記後方の位置で使用中に保持され、使用後に前記前方の位置に戻るように解放可能であり、前記前方の位置でロックされることを特徴とする針アセンブリ。
【請求項１２】
前記針台は、使用中に前記後方の位置で前記収容ケースを保持するために前記収容ケースと共に機能する保持機構を有し、また、使用後に前記前方の位置で前記収容ケースをロックするために前記収容ケースと共に機能するロッキング機構を有する請求項１１に記載の針アセンブリ。
【請求項１３】
前記収容ケースが使用後に、前記保持機構から解放され、続いて前記ロッキング機構と係合するため、軸周りに回転するように、前記保持機構および前記ロッキング機構が、軸周りに所定の角度をおいて配置されている請求項１２に記載の針アセンブリ。
【請求項１４】
前記収容ケースが前記前方の位置に偏するよう、前記収容ケースと前記細長い針台との間に圧縮バネが配置されている請求項１１に記載の針アセンブリ。
【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
オフィス家具システム用の支持ビームであって、
細長い、中空の下部ビームセクション(３８)であって、頂部パネル(４４)及び底部パネル(４８)と、垂直方向に延びている側部パネル(４６)とを有しており、前記側部パネルは、前記頂部パネルと前記底部パネルとの間に延在していると共に、前記頂部パネルと前記底部パネルとを堅固に接続しており、前記パネルのうちの少なくとも幾つかのパネルは、それらに形成されているアクセス開口を有している、ものと、
垂直方向に延びている、隔置されている、細長いポスト(４２)であって、前記下部ビームセクションへ堅固に接続されており且つ前記下部ビームセクションから上方に延びているものと、
を具備しており、
前記支持ビームは、頂部(８８)を有している上部ビームレール(４０)であって、前記下部ビームセクションに平行に延びており且つ前記下部ビームセクションから離隔させられているものにより、特徴付けられており、
前記ビームレールは、前記細長いポストへ堅固に接続されていると共に、それの頂部に形成されている、複数の隔置されているポスト受容孔(２８)であって、前記オフィス家具システムの他の構成要素を前記支持ビーム上に装着するためのものを有しており、
前記ビームレールの高さは、前記ビームセクションの高さよりも小さく、
前記ビームレールは、前記ビームレールの少なくとも一方の端部に設けられている少なくとも１つのレール接続装置(１１６)であって、前記ビームレールを、別のビームレールの隣接する端部へ又は他の互換性のある支持構造体へ堅固に接続するためのものを備えている、
支持ビーム。
【請求項２】
開放網状レースウェイ(１４４)が、前記細長いポスト(４２)の少なくとも１つの側部に装着されていると共に、前記支持ビーム(１０)の長さを延びていることを特徴とする請求項１に記載の支持ビーム。
【請求項３】
前記細長いポスト(４２)のうちの少なくとも幾つかの細長いポストが、前記下部ビームセクション(３８)内へ延びていると共に、前記底部パネル(４８)に装着され且つ前記底部パネル(４８)によって固定される底端部を有していることを特徴とする請求項１又は請求項２に記載の支持ビーム。
【請求項４】
前記下部ビームセクション(３８)が、上方に延びている接続フランジ(５２)であって、前記頂部パネル(４４)の縦方向の両側部に沿って延びているものを有しており、前記接続フランジは、甲板又はコンソールを前記支持ビーム上に支持するのに有用な支持ブラケット(１９,２０)を支持すべく構成されていることを特徴とする請求項１〜請求項３のいずれか一項に記載の支持ビーム。
【請求項５】
前記ポスト(４２)が、下部ビームセクション(３８)及び上部ビームレール(４０)の両端部に位置させられている２つの端部ポストを含んでおり、前記２つの端部ポストの底端部は、締結具により、前記頂部パネル(４４)へ固定されており、且つ、前記下部ビームセクション(３８)が、それの各端部に、前記ビームを床の上方に支持するのに使用される垂直支持脚(６６)を受容すべく構成されている底部開口(６４)を有していることを特徴とする請求項１〜請求項４のいずれか一項に記載の支持ビーム。
【請求項６】
前記ビームレール(４０)が、細長いチャンネル部材(８８)であって、２つの下方に延びている縁部フランジ(９０,９２)を有しているものを備えており、且つ、前記ポスト受容孔(２８)が、前記チャンネル部材(８８)の長さに沿って均等に分布させられていることを特徴とする請求項１〜請求項５のいずれか一項に記載の支持ビーム。
【請求項７】
前記ビームレール(４０)が、２つの細長い屈曲フレーム部材を更に備えており、各屈曲フレーム部材は、下方に延びている脚部セクション(１００)であって、前記細長いポスト(４２)へ取着されているものと、外方に延びている脚部セクション(１０２)であって、前記チャンネル部材(８８)へ取着されているものとを有していることを特徴とする請求項６に記載の支持ビーム。
【請求項８】
前記アクセス開口(５０)が、アクセス開口であって、前記頂部パネル(４４)に形成されており且つ前記細長いポスト(４２)の間に位置させられているものを含んでいることを特徴とする請求項１〜請求項５のいずれか一項に記載の支持ビーム。
【請求項９】
前記少なくとも１つのレール接続装置が、前記ビームレール(４０)の各端部における２つの接続フランジ(１１６,１１８)を具備しており、各接続フランジは、それに形成されている締結孔(１１９〜１２１)を有していることを特徴とする請求項１〜請求項８のいずれか一項に記載の支持ビーム。
【請求項１０】
前記ビームレール(４０)へ取着可能である、取り外し可能なカバーパネル(１０６)であって、それを使用している間、前記開放網状レースウェイ(１４４)から離れた状態で延在しているものによって特徴付けられている請求項２に記載の支持ビーム。
【請求項１１】
２つの取り外し可能な細長いカバーパネル(２６０,２６１)であって、前記カバーパネルの間に細長いスロット(２６６)を残すようにして前記下部ビームセクション(３８)の一の側部へ取着可能であり、使用時において、下部ビームセクションの隣接している側部パネル(４６)の大部分を覆うものによって特徴付けられている請求項１〜請求項１０のいずれか一項に記載の支持ビーム。
【手続補正書】
【提出日】平成18年2月28日(2006.2.28)
【手続補正１】
【補正対象書類名】特許請求の範囲
【補正対象項目名】全文
【補正方法】変更
【補正の内容】
【特許請求の範囲】
【請求項１】
履物（１０）であって、
足に取り付け可能な上面（１４）を有し、二つの球根状の突出部（２２）によって特徴づけられた支持部材（１２）を備え、
前記突出部（２２）の一方は、前記突出部（２２）の他方よりも後方に配置されていることを特徴とする履物。
【請求項２】
請求項１に記載の履物（１０）において、
前記突出部（２２）は、縦軸線（２８）に沿って前記支持部材（１２）に固定して取り付けられており、
前記縦軸線（２８）は、前記支持部材（１２）の踵骨支持部分（２３）から前記支持部材（１２）の中足骨支持部分（２５）及び指骨支持部分（２７）の少なくとも一つまで伸びていることを特徴とする履物。
【請求項３】
請求項１に記載の履物（１０）において、
前記突出部（２２）は、前記支持部材（１２）の横軸中線の両側に前記支持部材（１２）に固定して取り付けられており、
前記横軸中線は、前記支持部材（１２）の踵骨支持部分（２３）と指骨支持部分（２７）の中間に位置することを特徴とする履物。
【請求項４】
請求項１に記載の履物（１０）において、
前記突出部（２２）の一つは、前記支持部材（１２）の踵骨支持部分（２３）の概ね真下に前記支持部材（１２）に固定して取り付けられていることを特徴とする履物。
【請求項５】
請求項１に記載の履物（１０）において、
前記突出部（２２）の一つは、前記支持部材（１２）の中足骨支持部分（２５）の概ね真下に前記支持部材（１２）に固定して取り付けられていることを特徴とする履物。
【請求項６】
請求項１に記載の履物（１０）において、
前記突出部（２２）の一つは、前記支持部材（１２）の指骨支持部分（２７）の概ね真下に前記支持部材（１２）に固定して取り付けられていることを特徴とする履物。
【請求項７】
請求項１に記載の履物（１０）において、
前記突出部（２２）の少なくとも一つは、円錐曲線の形状の断面を有し、該円錐曲線の形状は、円形形状、楕円形状、放物線形状又は双曲線形状の少なくとも一つから成ることを特徴とする履物。
【請求項８】
請求項１に記載の履物（１０）において、
前記突出部（２２）の一つの外輪郭は、他の突出部（２２）の外輪郭と相違して形成されることを特徴とする履物。
【請求項９】
請求項１に記載の履物（１０）において、
前記突出部（２２）の少なくとも一つは、前記支持部材（１２）に摺動的に取り付けられていることを特徴とする履物。
【請求項１０】
請求項１に記載の履物（１０）において、
前記突出部（２２）の一つは、他の突出部（２２）よりも弾性であることを特徴とする履物。
【手続補正書】
【提出日】平成18年7月31日(2006.7.31)
【手続補正１】
【補正対象書類名】特許請求の範囲
【補正対象項目名】請求項１
【補正方法】変更
【補正の内容】
【請求項１】
消費に適する飲料を調製するための形状保持パッドであって、水性液体に可溶性の物質を入れた少なくとも１つの第１カバーを備え、該カバーが、前記可溶性物質を透過しない材料、たとえば、フィルタ材料の層から作製された上側シート、および前記可溶性物質を透過させないが、液体に溶解している物質を透過させる材料から作製された底側シートを有し、該パッドが、前記上側シートおよび前記底側シート間に配置された形状規定補剛体をさらに備え、前記上側シートおよび前記底側シートは少なくとも部分的に、互いに、かつ表面にほぼ平行に延在し、前記補剛体が、前記上側シートに隣接した上側面、および前記底側シートに隣接した底側面を有し、また、内部に仕切り壁構造を設けることにより、前記上側面から前記底側面まで液体を透過させる格子構造を有し、該構造内に前記可溶性物質の少なくとも一部分が収容され、また、前記壁構造によって形成された各区画室が、前記壁構造、前記上側シートおよび前記底側シートによって包囲されている、形状保持パッド。
【手続補正２】
【補正対象書類名】明細書
【補正対象項目名】請求項４
【補正方法】変更
【補正の内容】
【請求項４】
前記壁構造によって形成された各区画室が、前記壁構造の一部分に垂直に測ったとき、幅が水力直径の１／３より小さい幅を有する（ここで、水力直径とは、通路表面積の４倍を通路周長で割った商を意味するものとする）ことを特徴とする請求項１乃至３のいずれか１項に記載の形状保持パッド。
【手続補正３】
【補正対象書類名】明細書
【補正対象項目名】請求項２３
【補正方法】変更
【補正の内容】
【請求項２３】
前記底側シートおよび前記上側シートが、相互連結され、該相互連結部分が接合部を形成していることを特徴とする、請求項１乃至２２のいずれか１項に記載の形状保持パッド。
【手続補正４】
【補正対象書類名】明細書
【補正対象項目名】請求項２５
【補正方法】変更
【補正の内容】
【請求項２５】
前記補剛体が、合成物、金属、厚紙、ゴムおよび／または生分解性材料から作製されていることを特徴とする、請求項１乃至２４のいずれか１項に記載の形状保持パッド。
【手続補正５】
【補正対象書類名】明細書
【補正対象項目名】請求項２８
【補正方法】変更
【補正の内容】
【請求項２８】
前記第１カバーの前記上側シートが、取り外し可能に設けられている液体不透過性のシートから少なくとも部分的に作製されているか、あるいは、液体を透過するフィルタ材料から少なくとも部分的に作製されていることを特徴とする、請求項１〜２７のいずれか１項に記載の形状保持パッド。
【手続補正６】
【補正対象書類名】明細書
【補正対象項目名】請求項３４
【補正方法】変更
【補正の内容】
【請求項３４】
区画室の最小寸法が、該パッドの最小寸法の１／３より小さいことを特徴とする、請求項１乃至３３のいずれか１項に記載の形状保持パッド。
【手続補正７】
【補正対象書類名】明細書
【補正対象項目名】請求項４０
【補正方法】変更
【補正の内容】
【請求項４０】
前記第２カバーが、シート状フィルタ材料から作製された上側シート、およびシート状フィルタ材料から作製された底側シートを備え、前記上側シートおよび前記底側シートは、相互連結され、該相互連結部分が円形接合部を形成することを特徴とする、請求項３９に記載の形状保持パッド。
【手続補正８】
【補正対象書類名】明細書
【補正対象項目名】請求項４４
【補正方法】変更
【補正の内容】
【請求項４４】
被抽出物質を充填した抽出パッドを入れるための収容空間を設けたホルダをさらに備え、前記第１カバーが、前記収容空間の下方に配置されて、前記収容空間と流体連通していることを特徴とする、請求項１〜３８のいずれか１項に記載の形状保持パッド。
【手続補正９】
【補正対象書類名】明細書
【補正対象項目名】請求項５０
【補正方法】変更
【補正の内容】
【請求項５０】
前記底側シートは、前記中央表面全体に、その前記縁部から前記円周壁の前期底縁部まで延在し、この位置かまたはその付近で前記補剛体に固定されることを特徴とする、請求項４９に記載の形状保持パッド。
【手続補正１０】
【補正対象書類名】明細書
【補正対象項目名】請求項５４
【補正方法】変更
【補正の内容】
【請求項５４】
前記補剛体上に、多数の通路を有する分離体が設けられていることを特徴とする、請求項１乃至５３のいずれか１項に記載の形状保持パッド。
【手続補正１１】
【補正対象書類名】明細書
【補正対象項目名】請求項６６
【補正方法】変更
【補正の内容】
【請求項６６】
請求項１乃至６５のいずれか１項に記載の形状保持パッドまたはアセンブリを用いて消費に適する飲料を調整する方法であって、上側シートおよび底側シートによって閉鎖状に覆われた補剛体内に仕切り壁構造によって形成された液体透過性の格子構造体を有する前記形状保持パッド内に収容された水性液体に可溶性の一定量の物質を、カバー内に収容されている一定量の被抽出物質と共にホルダに入れて、次に、液体をホルダに前記２つの物質に供給し、その後、このようにして得られた前記飲料を前記ホルダの底側の少なくとも１つの流出開口から注ぎ出す、飲料を調製する方法。
【手続補正１２】
【補正対象書類名】明細書
【補正対象項目名】請求項７４
【補正方法】変更
【補正の内容】
【請求項７４】
得られた飲料は、わずかに泡立った泡層が得られるように、噴出開口として構成された流出開口から排出されることを特徴とする、請求項６６乃至７３のいずれか１項に記載の方法。
【手続補正書】
【提出日】平成17年9月6日(2005.9.6)
【手続補正１】
【補正対象書類名】特許請求の範囲
【補正対象項目名】全文
【補正方法】変更
【補正の内容】
【特許請求の範囲】
【請求項１】
治療剤の投与を行うようになったタンポンであって、吸収性材料と、治療剤を含む組成とを含み、前記治療剤は植物製剤であることを特徴とするタンポン。
【請求項２】
外部層を持ち、前記外部層は治療効果的に十分な量の植物製剤を含むことを特徴とする請求項１に記載のタンポン。
【請求項３】
前記外部層はカバーであることを特徴とする請求項２に記載のタンポン。
【請求項４】
前記カバーは液体透過性であることを特徴とする請求項３に記載のタンポン。
【請求項５】
前記植物製剤は、Ａｇｎｕｓ  ｃａｓｔｕｓ、アロエ・ベラ、コンフリー、キンセンカ、ドンクアイ、黒コホッシュ、カモミール、メマツヨイグサ、サクラソウ、Ｈｙｐｅｒｉｃｕｍ  ｐｅｒｆｏｒａｔｕｍ、カンゾウ根、クロスグリ実油、オトギリソウ、茶抽出物、レモンバーム、トウガラシ、ローズマリー、Ａｒｅｃａ  ｃａｔｅｃｈｕ、ヤエナリ、ルリチシャ実油、マンサク、コロハ、ラベンダー、及び大豆から成るグループから選択されることを特徴とする請求項１に記載のタンポン。
【請求項６】
前記植物製剤は、ヒース、クランベリー、ブルーベリー、アザレア、紫たまねぎの皮、短い赤トウガラシ、長い赤トウガラシ，ビート根抽出物、及びカプサンチンから成るグループから選択された植物から派生されたＶａｃｃｉｎｉｕｍ抽出物であることを特徴とする請求項１に記載のタンポン。
【請求項７】
前記植物製剤は、クロミノナツハゼ、リンゲンベリー、チョークベリー、ナナカマド、ナナカマドの実、シーバックフローベリー、ガンコウラン、ストローベリー、及びスグリから成るグループから選択されていることを特徴とする請求項１に記載のタンポン。
【請求項８】
前記治療剤は、ビタミン、カルシウム、マグネシウム、ホルモン、鎮痛剤、プロスタグランジン抑制剤、プロスタグランジン・シンセターゼ抑制剤、ロイコトリエン受容器、拮抗剤、必須脂肪酸、ステロール、抗炎症剤、血管拡張剤、化学療法剤、及び不妊症対処剤から成るグループから選択された植物製剤と改善剤の組み合わせであることを特徴とする請求項１に記載のタンポン。
【請求項９】
更にリザーバを含み、前記治療剤は、実質的に前記リザーバ内に位置することを特徴とする請求項１に記載のタンポン。
【請求項１０】
前記治療剤は、実質的に液体であることを特徴とする請求項１に記載のタンポン。
【請求項１１】
前記治療剤は、実質的に固体であることを特徴とする請求項１に記載のタンポン。
【請求項１２】
更にアプリケーターを含み、アプリケーターによってタンポンに付与された圧力が治療剤を含む組成を放出することを特徴とする請求項１に記載のタンポン。
【請求項１３】
前記組成は、治療剤を目標とするように適合させたリガンドを含むことを特徴とする請求項１に記載のタンポン。
【請求項１４】
前記タンポンは表面を含み，治療剤を含む前記組成は前記表面に付与されることを特徴とする請求項１に記載のタンポン。
【請求項１５】
前記タンポンは圧縮された本体を含み、治療剤を含む前記組成は、前記本体が圧縮された後前記本体に付与されることを特徴とする請求項１に記載のタンポン。
【請求項１６】
吸収性材料を含む本体を持つタンポンを製造し、
植物製剤からなる治療剤を含む組成を実質的に本体内に位置させることを特徴とする、治療剤を投与する方法。
【請求項１７】
前記タンポンは表面を持ち、前記位置させる段階は、表面への治療剤を含む前記組成の付与を含むことを特徴とする請求項１６に記載の方法。
【請求項１８】
前記製造段階は前記本体を圧縮することを含み、前記位置させる段階は、前記本体が圧縮された後に前記本体に治療剤を含む前記組成を付与することを含むことを特徴とする請求項１６に記載の方法。
【請求項１９】
植物製剤である治療剤を含む組成で疎水性ポリマーから形成された多孔不織シートを処理し、
吸収性材料を含むタンポンを形成し、前記シートが少なくとも部分的に前記タンポンを覆うようにすることを特徴とする、治療剤を投与するようになったタンポンを製造する方法。
【請求項２０】
膣上皮を通って女性に処理する方法であって、
前記上皮を、タンポンに備わっている治療剤を含む組成に曝し、前記治療剤は植物製剤を含み、前記植物製剤は、Ａｇｎｕｓ  ｃａｓｔｕｓ、アロエ・ベラ、コンフリー、キンセンカ、ドンクアイ、黒コホッシュ、カモミール、メマツヨイグサ、サクラソウ、Ｈｙｐｅｒｉｃｕｍ  ｐｅｒｆｏｒａｔｕｍ、カンゾウ根、クロスグリ実油、オトギリソウ、茶抽出物、レモンバーム、トウガラシ、ローズマリー、Ａｒｅｃａ  ｃａｔｅｃｈｕ、ヤエナリ、ルリチシャ実油、マンサク、コロハ、ラベンダー、大豆、ヒース、クランベリー、ブルーベリー、アザレア、紫たまねぎの皮、短い赤トウガラシ、長い赤トウガラシ、ビート根抽出物、カプサンチン、クロミノナツハゼ、リンゲンベリー、チョークベリー、ナナカマド、ナナカマドの実、シーバックフローベリー、ガンコウラン、ストローベリー、及びスグリから成るグループから選択されることを特徴とする方法。
【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
生体医療用電極（１）と、ケーブル（２）と、前記ケーブル（２）に前記電極（１）を固定するための弾力性のあるスナップ式の固定手段（３，４）とを備える組立体において、前記固定手段（３，４）が雄部材（３）及び雌部材（４）を備え、前記雌部材（４）が前記雄部材（３）を取り囲むための空洞（８）を有し、前記雄部材（３）が穴（５）を有しており且つ前記雌部材（４）が突出部（９）を有し、該突出部（９）が前記穴（５）に収容されるように形造られていることを特徴とする組立体。
【請求項２】
前記雄部材（３）は電極（１）に固定されており、前記雌部材（４）は前記ケーブル（２）に固定されていることを特徴とする請求項１に記載の組立体。
【請求項３】
前記雄部材（３）は、前記雌部材（４）に面している側に配置されており且つ実質的に円錐台形状の第一部分（６）を備えており、該第一部分（６）は、該第一部分（６）とは逆向きの実質的に円錐台形状の第二部分（７）の上に設置されていることを特徴とする請求項１または請求項２に記載の組立体。
【請求項４】
前記雄部材（３）の主垂直軸に対して、前記第一部分（６）の側壁がなす角度は、前記第二部分（７）の側壁がなす角度より小さいことを特徴とする請求項３に記載の組立体。
【請求項５】
前記第一部分（６）の側壁がなす角度は５°から１５°の範囲にあり、前記第二部分（７）の側壁がなす角度は３０°から５０°の範囲にあることを特徴とする請求項４に記載の組立体。
【請求項６】
前記第一部分（６）の側壁がなす角度は概ね８°に等しく且つ前記第二部分（７）の側壁がなす角度は概ね４０°に等しいことを特徴とする請求項５に記載の組立体。
【請求項７】
請求項１から請求項６のいずれか一つに記載されている雄部材（３）を備えている生体医療用電極（１）。
【請求項８】
請求項１から請求項６のいずれか一つに記載されている雌部材（４）を備えているケーブル（２）。
【手続補正２】
【補正対象書類名】明細書
【補正対象項目名】全文
【補正方法】変更
【補正の内容】
【発明の詳細な説明】
【発明の名称】生体医療用電極固定装置
【技術分野】
【０００１】
本発明は、生体医療用電極を固定するための装置に関する。より正確には、本発明は、弾力性のあるスナップ式の固定手段を含む生体医療用電極を固定するための装置に関する。
【背景技術】
【０００２】
US  ３８８２８５３、US  ４６６０５６２、ＣＨ  ６６８６９０、US  ６２７６０５４、ＦＲ  １３１４２０１、及びＷO  ０１/１７４２３の特許文献は、一回のみ使用される電極のための固定装置を開示している。通常は、電極は、人間の皮膚に電極を固定するために意図されている粘着性の面と、伝導性の雄部材を備える面とを含んでいる平面形状のフレキシブルな部材（すなわち可撓性部材）から構成されている。各々の電極は、前述の雄部材を収容することを意図されている雌部材をその端部の一方に備えるケーブルに結合されている。
【発明の開示】
【０００３】
本発明の目的は、特に、電極とケーブルの間におけるより一層の機械的強さ及びより一層の伝導性を得られるように、雄部材と雌部材の間の結合を改善することと、また、それらを一緒に固定する際に雄部材上に雌部材を簡単に位置決めできるようにすることである。
【０００４】
本発明は、生体医療用電極と、ケーブルと、上記ケーブルに上記電極を固定することを意図している弾力性のあるスナップ式の固定手段とを備えている組立体に関しており、上記固定手段は、雄部材が穴を有しており、雌部材が突出部を有していることを特徴とする雄部材及び雌部材を備えており、後者は二つの部材を一緒に固定する際に上記穴の中に収容されるように形造られている。
【０００５】
本発明の好ましい実施形態によれば、雄部材は電極上に配置され、雌部材はケーブルの一端に位置している。
【０００６】
一つの変形形態によれば、固定装置は先に開示されている先行技術のそれに同じである。しかしながら、それは、雄部材がその上部面に穴を含んでおり、且つ、雌部材がその空洞内に、二つの部材が一度一緒に固定されたならば、雄部材の穴の中に収容されることが意図されている突出部を含んでいるという点で異なっている。
【０００７】
二つの部材をより簡単に固定するために、しかしまた、一度それらが固定されたならばそれらを同じ場所に保つために、雄部材が、雌部材に面する側に配置されており且つ実質上円錐台形状の第一部分を備えており、その第一部分は、第一部分とは逆であるところの実質上円錐台形状の第二部分の上に設置されていることを特徴とする固定装置を選定することが好ましい。雄部材の主垂直軸に対して、第一部分の側壁がなす角度は、第二部分の側壁がなす角度よりも小さい。
【０００８】
発明の変形形態によれば、第一部分の側壁がなす角度は、５°から１５°の範囲にあり、第二部分の側壁がなす角度は、３０°から５０°の範囲にある。
一つの特別に有利な形状は、第一部分の側壁がなす角度が概ね８°に等しく且つ第二部分の側壁がなす角度が概ね４０°に等しいときに得られている。
【０００９】
本発明は、また、上述した電極と、上述した雌プラグを備えるケーブルとに関する。
本発明の一つの実施形態が、以下の図面によって、以下に詳細に説明される。
【発明を実施するための最良の形態】
【００１０】
図１をみると、平坦形状のフレキシブルな電極１は、その上側表面に雄部材３を備えている。後者（同様に図２参照）は、主に、円錐台形状の第一部分６と同じく円錐台形状であるが第一部分とは逆向きの第二部分７とからなっている。穴５が雄部材の上側表面に配置されている。
雌部材４は雄部材３を取り囲むことを意図された空洞８を備えている。
空洞８の内側は、好ましくは、伝導性の材料で作られている、ピン９を含んでいる。
一度二つの部材がともに固定されると（図３参照）、ピン９は雄部材３の穴５の壁と密接に接触する。
【００１１】
図２を見ると、垂直線と雄部材３の上部部分６の側壁との間に規定される角度αは、垂直線と雄部材３の下側部分の側壁との間に規定される角度βよりも小さい。
角度αが概ね８°に等しく且つ角度βが概ね４０°に等しいということが、効果的な保持力と同時に簡単な固定を提供するために、ちょうどよい妥協点を構成している、ということが見出された。
【００１２】
いうまでもなく、本発明は電極の一つの特別な形状に限定されるわけではない。同様に、種々の部材の材料及び幾何図形的配置の選択は、それゆえに、上記で議論された例で説明されたところのものに限定されない。
さらにまた、発明は一つの特別な使用分野に限定されない。好ましくは、それは筋肉の電気的刺激の分野をねらっており、しかしそれはまた、他の場合は、例えば、心電図を作るために応用され得る。
【図面の簡単な説明】
【００１３】
【図１】電極、ケーブル及び固定手段を備える組立体を示す図である。
【図２】互いに分離した状態の雄部材及び雌部材の横断面図を示している。
【図３】互いに固定された状態の雄部材及び雌部材の横断面図を示している。
【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
一般式：XH(COOH)2［式中、XはNa、K、Cs、NH4である］の少なくとも１種の二ギ酸塩を含む被覆調製物。
【請求項２】
二ギ酸塩として二ギ酸カリウムが使用される、請求項１に記載の調製物。
【請求項３】
さらに別の成分および／または添加剤および／または担体を含む、請求項１または２に記載の調製物。
【請求項４】
使用される被覆材料が、以下の
a)ポリアルキレングリコール、特に数平均分子量が約400〜15 000、例えば400〜10 000であるポリエチレングリコール；
b)数分子量が約4000〜20 000であるポリアルキレンオキシドポリマーまたはコポリマー、特にポリオキシエチレンとポリオキシプロピレンとのブロックコポリマー；
c)置換ポリスチレン、マレイン酸誘導体、およびスチレン／マレイン酸コポリマー；
d)数平均分子量が約7000〜1 000 000であるポリビニルピロリドン；
e)数平均分子量が約30 000〜100 000であるビニルピロリドン／酢酸ビニルコポリマー；
f)数平均分子量が約10 000〜200 000であるポリビニルアルコール、ポリフタル酸ビニルエステル；
g)数平均分子量が約6000〜80 000であるヒドロキシプロピルメチルセルロース；
h)数平均分子量が約100 000〜1 000 000であるアルキル（メタ）アクリレートポリマーおよびコポリマー、特にエチルアクリレート／メチルメタクリレートコポリマーおよびメタクリレート／エチルアクリレートコポリマー；
i)それが適当である場合にはポリビニルピロリドンで安定化されている、数平均分子量が約250 000〜700 000であるポリ酢酸ビニル；
j)ポリアルキレン、特にポリエチレン；
k)フェノキシ酢酸／ホルムアルデヒド樹脂；
l)セルロース誘導体、例えばエチルセルロース、エチルメチルセルロース、メチルセルロース、ヒドロキシプロピルセルロース、ヒドロキシプロピルメチルセルロース、カルボキシメチルセルロース、セルロースアセテートフタレート；
m)動物性、植物性または合成脂肪；
n)動物性、植物性もしくは合成ワックス、または化学的に修飾した動物性、植物性ワックス、例えば、蜜ロウ、カンデリラロウ、カルナウバロウ、モンタンエステルロウ、およびコメ胚芽油ロウ、鯨ロウ、ラノリン、ホホバワックス、サソールワックス、木ロウ、または木ロウ置換体；
o)動物性および植物性タンパク質、例えばゼラチン、ゼラチン誘導体、ゼラチン置換体、カゼイン、乳清、ケラチン、ダイズタンパク質；ゼインおよび小麦タンパク質；
p)単糖および二糖、オリゴ糖、多糖、例えばデンプン、修飾デンプンおよびペクチン、アルギン酸塩、キトサン、カラギーナン；
q)植物性油、例えばヒマワリ油、ベニバナ油、綿実油、ダイズ油、トウモロコシ胚芽油、オリーブ油、ナタネ油、亜麻仁油、オリーブ油、ココナッツ油、（油）パーム核油、およびパーム油；
r)合成または半合成油、例えば、中鎖トリグリセリドまたは鉱油；
s)動物性油、例えば、ニシン油、サーディーン（イワシ）油および鯨油；
t)硬化（水添または部分水添）油／脂肪、例えば、上記のもの由来のもの、特に水添パーム油、水添綿実油、水添ダイズ油；
u)ラッカー被覆剤、例えば、テルペン、特にシェラック、トルーバルサム、ペルーバルサム、サンダラック、およびシリコーン樹脂；
v)飽和ならびに一飽和および多飽和を含む脂肪酸、例えばC6〜C24カルボン酸；
w)シリカ；
x)安息香酸および／または安息香酸の塩および／または安息香酸のエステルおよび／または安息香酸の誘導体および／または安息香酸誘導体の塩および／または安息香酸誘導体のエステル
からなる群から選択される少なくとも１種の化合物である、請求項１〜３のいずれか一項に記載の調製物。
【請求項５】
平均粒径が１μm〜10 000μm、特に20μm〜5000μmの粉末の形態である、請求項１〜４のいずれか一項に記載の調製物。
【請求項６】
請求項１〜５のいずれか一項に記載の被覆調製物の製造方法であって、
(i)少なくとも１種の二ギ酸塩を、それが適当である場合にはさらに別の成分および／または添加剤と共に混合し；
(ii)こうして得られた混合物を、それが適当である場合には他の成分と共に、被覆材料で被覆する
前記方法。
【請求項７】
請求項１〜５のいずれか一項に記載の被覆調製物の製造方法であって、
(i)被覆材料を適切な装置に投入し、それが適当である場合にはさらに別の成分を添加し；
(ii)少なくとも１種の二ギ酸塩を、それが適当である場合にはさらに別の成分および／または添加剤と共に添加する
前記方法。
【請求項８】
二ギ酸塩が被覆の前に担体材料へ適用される、請求項６または７に記載の被覆調製物の製造方法。
【請求項９】
請求項１〜５のいずれか一項に記載の被覆調製物の製造方法であって、
(i)少なくとも１種の二ギ酸塩を、それが適当である場合にはさらに別の成分および／または添加剤と共に、適切な被覆材料の溶融物に分散させ；
(ii)こうして得られた分散液を分割し、固化する
前記方法。
【請求項１０】
請求項１〜５のいずれか一項に記載の被覆調製物の製造方法であって、
(i)少なくとも１種の二ギ酸塩を、それが適当である場合にはさらに別の成分および／または添加剤と共に、被覆材料、特に親油性被覆材料に分散させ；
(ii)単糖、二糖または多糖の群からの１種以上の物質を添加しながら、保護コロイド、好ましくはゼラチンまたは／およびゼラチン誘導体または／およびゼラチン置換体の水性溶液に乳化し；
(iii)スプレーによる成形、続いてまたは同時の乾燥に供する
前記方法。
【請求項１１】
少なくとも１種の二ギ酸塩を、被覆材料の逆昇華により被覆する、請求項６〜１０のいずれか一項に記載の被覆調製物の製造方法。
【請求項１２】
動物飼料用のプレミックスにおける、請求項１〜５のいずれか一項に記載の調製物の使用。
【請求項１３】
特にブタ、家禽および仔ウシ用の飼料添加剤および／または動物飼料における、請求項１〜５のいずれか一項に記載の調製物の使用。
【請求項１４】
少なくとも１種の二ギ酸塩を含む飼料および／または飼料添加剤の製造方法であって、
(i)請求項１〜５のいずれか一項に記載の調製物をプレミックスに添加し；
(ii)こうして得られたプレミックスを、飼料および／または飼料添加剤の他の成分と混合する
上記方法。
【請求項１５】
請求項１〜５のいずれか一項に記載の調製物を含む動物飼料。
【請求項１６】
請求項１〜５のいずれか一項に記載の調製物の、性能増強剤および／または成長促進剤としての使用。
【請求項１７】
請求項１〜５のいずれか一項に記載の調製物の、酸性化剤としての使用。
【請求項１８】
請求項１〜５のいずれか一項に記載の調製物の、保存剤としての使用。
【請求項１９】
請求項１〜５のいずれか一項に記載の調製物の、サイロ貯蔵剤としての使用。
【請求項２０】
請求項１〜５のいずれか一項に記載の調製物の、肥料における使用。